(57)【特許請求の範囲】
【請求項１】
一対の戸板（１１、１２）を複数の蝶番で互いに水平回動自在に連結してなる折戸（１０）の閉じ際における戸板（１１、１２）相互の急激な回動を制動するべく当該複数の蝶番とともに折戸（１０）の背面に取り付けられる緩衝装置（６０）であって、
前記一対の戸板（１１、１２）のうち一方の戸板（１１）の他方の戸板（１２）との連結端部に埋設して取り付けられる第1取付部材（６１）と、
前記一対の戸板（１１、１２）のうち他方の戸板（１２）の一方の戸板（１１）との連結端部に埋設して取り付けられる第２取付部材（６２）と、
両取付部材相互（６１、６２）の回動を制動するべく第１取付部材（６１）に設けられた制動機構（７０）と、を備え、
前記第１取付部材（６１）は、
一方の戸板（１１）に、蝶番用の取付穴と同一形状且つ同一寸法で形成された取付穴（１１ａ）に嵌合して完全に埋没するように当該取付穴（１１ａ）の形状及び寸法に合わせてその形状及び寸法が選定された部材本体（６１ａ）を有し、
当該部材本体（６１ａ）は、前記制動機構（７０）を当該取付穴（１１ａ）内に埋没させた状態で保持する保持部（７２）を有し、
前記第２取付部材（６２）は、
他方の戸板（１２）に、蝶番用の取付穴と同一形状且つ同一寸法で形成された取付穴（１２ａ）に嵌合して完全に埋没するように当該取付穴（１２ａ）の形状及び寸法に合わせてその形状及び寸法が選定された部材であり、
前記取付穴（１１ａ、１２ａ）は、各戸板（１１、１２）の互いの連結端部の背面及び木口面に開口部を設けて互いに左右対称になるように形成されており、
両取付部材相互（６１、６２）を、折戸（１１、１２）を開く側に回動させて折り畳んだときに前記保持部（７２）の前記一方の取付部材（６２）の突出している部分を受け入れる凹部（６２ｂ）が形成され、
前記制動機構（７０）は、
使用時に水平方向に圧縮され反発するダンパ（７１）と、
ダンパ（７１）に装着された当接部材（７３）と、を備え、
前記保持部（７２）は、水平方向に延びる円筒状の側壁に囲まれた収容空間を有し、前記当接部材（７３）を進退移動可能に案内しつつ前記ダンパ（７１）を、埋没させた状態で収容して保持しており、
前記当接部材（７３）は、
前記ダンパ（７１）が伸縮することにより進退移動し、且つその先端部（７３ａ）が、一方の戸板（１１）の木口面から突出して、折戸（１０）の閉じ際に、前記他方の戸板（１２）に埋没した第２取付部材（６２）の側縁部（６２ａ）に当接する部材であり、
当該当接部材（７３）が、折戸（１０）の閉じ際における両取付部材（６１、６２）相互の回動に伴って前記第２取付部材（６２）の側縁部（６２ａ）に押圧されることにより、前記ダンパ（７１）が圧縮されるように構成されている緩衝装置。
【発明の詳細な説明】
【技術分野】
【０００１】
本発明は、シンクキャビネットや吊り戸棚等の建具或いは食器棚、書棚等の家具などに装備される折戸の緩衝装置に関し、より詳細には、折戸を閉める際の戸板相互の急激な回動を制動する緩衝装置に関する。
【背景技術】
【０００２】
折戸は、少なくとも二つの戸板を備え、相隣り合う戸板同士を蝶番を介して互いに水平方向に回動自在に連結するとともに、戸板の上端部をその上方に敷かれたレールにランナーを介して移動自在に支持することにより、戸板相互が回動しながら開閉する構造になっている。
【０００３】
このように折戸は戸板相互が回動しながら開閉する構造上、閉めた時に戸板が左右の戸枠に当接するとともに戸板相互の木口面同士が当接する。このため折戸を閉めた際に戸板が最後まで急激に回動すると大きな衝撃音や振動が発生する。この衝撃が折戸や戸枠に繰り返し加わることが部品の損傷や劣化を早める原因となる。また一旦最後まで閉まった戸板が衝撃により跳ね返り、戸板相互が折れ曲がった姿態で半閉まり状態になるという折戸特有の問題もある。この種の問題を解決するには、折戸を閉める際の戸板相互の急激な回動を制動することが有効である。
【０００４】
従来、戸板の閉め際における急激な回動を制動する技術として、蝶番を介して戸板（扉）を取り付けた戸枠（框）の内側側面部に、戸板（扉）の木口面に当接して戸板（扉）の回動を制動する力を及ぼすダンパを埋設したものが知られている。この種のダンパは、戸枠（框）に埋設されたシリンダ内に、戸枠（框）の内側側面から出没するピストンとこれを常時突出させる側に付勢する復元ばねとを備え、戸板（扉）が完全に閉まる寸前に戸板（扉）の木口面がピストンに当接し、復元ばねの反発力に抗してピストンが押されることにより、復元ばねの反発力をピストンを介して戸板（扉）に作用させる（特許文献１）。
【特許文献１】実開昭５３−１６６６１号（実公昭５７−１１１１２号）公報
【発明の開示】
【発明が解決しようとする課題】
【０００５】
しかし、上述した従来の技術では、戸枠（框）に埋設されているダンパ装置のピストンに戸板（扉）の木口面を当接させることにより戸板（扉）の閉め際における急激な回動を制動するようにしているため、戸板（扉）の極閉め際すなわち戸板（扉）が完全に閉じられる寸前にならなければ、ダンパによる制動力を戸板（扉）に作用させることができない。ダンパによる制動力が働くタイミングをより早めるためには、戸枠（框）の内側側面からのピストンの突出長を大きくし、ストロークも大きくする必要がある。これはより長寸のダンパが必要になることを意味し、それに合わせてダンパを埋設するための取付孔もより大きくする必要が生じる。また、従来の技術では、緩衝装置を取り付けるために蝶番用の取付穴とは別に穴加工を施さなければならないため、穴加工の手間が増大するという不都合がある。
【０００６】
本発明が解決しようとする課題は、折戸の閉じ際における制動力の働く時間及びタイミングを適切に設定できる緩衝装置を、使用するダンパを長寸化することなく実現するとともに、蝶番用の取付穴を利用して折戸に取り付けることができる緩衝装置を提供することにある。
【課題を解決するための手段】
【０００７】
上記課題を解決するために、本発明の緩衝装置は、一対の戸板（１１、１２）を複数の蝶番で互いに水平回動自在に連結してなる折戸（１０）の閉じ際における戸板（１１、１２）相互の急激な回動を制動するべく当該複数の蝶番とともに折戸（１０）の背面に取り付けられる緩衝装置（６０）であって、
前記一対の戸板（１１、１２）のうち一方の戸板（１１）の他方の戸板（１２）との連結端部に埋設して取り付けられる第1取付部材（６１）と、
前記一対の戸板（１１、１２）のうち他方の戸板（１２）の一方の戸板（１１）との連結端部に埋設して取り付けられる第２取付部材（６２）と、
両取付部材相互（６１、６２）の回動を制動するべく第１取付部材（６１）に設けられた制動機構（７０）と、を備え、
前記第１取付部材（６１）は、
一方の戸板（１１）に、蝶番用の取付穴と同一形状且つ同一寸法で形成された取付穴（１１ａ）に嵌合して完全に埋没するように当該取付穴（１１ａ）の形状及び寸法に合わせてその形状及び寸法が選定された部材本体（６１ａ）を有し、
当該部材本体（６１ａ）は、前記制動機構（７０）を当該取付穴（１１ａ）内に埋没させた状態で保持する保持部（７２）を有し、
前記第２取付部材（６２）は、
他方の戸板（１２）に、蝶番用の取付穴と同一形状且つ同一寸法で形成された取付穴（１２ａ）に嵌合して完全に埋没するように当該取付穴（１２ａ）の形状及び寸法に合わせてその形状及び寸法が選定された部材であり、
前記取付穴（１１ａ、１２ａ）は、各戸板（１１、１２）の互いの連結端部の背面及び木口面に開口部を設けて互いに左右対称になるように形成されており、
両取付部材相互（６１、６２）を、折戸（１１、１２）を開く側に回動させて折り畳んだときに前記保持部（７２）の前記一方の取付部材（６２）の突出している部分を受け入れる凹部（６２ｂ）が形成され、
前記制動機構（７０）は、
使用時に水平方向に圧縮され反発するダンパ（７１）と、
ダンパ（７１）に装着された当接部材（７３）と、を備え、
前記保持部（７２）は、水平方向に延びる円筒状の側壁に囲まれた収容空間を有し、前記当接部材（７３）を進退移動可能に案内しつつ前記ダンパ（７１）を、埋没させた状態で収容して保持しており、
前記当接部材（７３）は、
前記ダンパ（７１）が伸縮することにより進退移動し、且つその先端部（７３ａ）が、一方の戸板（１１）の木口面から突出して、折戸（１０）の閉じ際に、前記他方の戸板（１２）に埋没した第２取付部材（６２）の側縁部（６２ａ）に当接する部材であり、
当該当接部材（７３）が、折戸（１０）の閉じ際における両取付部材（６１、６２）相互の回動に伴って前記第２取付部材（６２）の側縁部（６２ａ）に押圧されることにより、前記ダンパ（７１）が圧縮されるように構成されている。
【発明の効果】
【０００９】
本発明によれば、折戸の閉じ際における制動力の働く時間及びタイミングを、使用するダンパを長寸化することなく適切に設定できる緩衝装置を提供することができる。この緩衝装置は、蝶番用の取付穴を利用して折戸に取り付けることができる。
【発明を実施するための最良の形態】
【００１０】
以下、本発明の実施形態について図面を参照して説明する。
【００１１】
図１は本発明に係る折戸装置の背面図である。図２、図３、図４、図５は本発明の緩衝装置の全体斜視図である。図６（ａ）〜（ｅ）はそれぞれ本発明の緩衝装置の正面図、左側面図、右側面図、平面図、下面図である。図７は本発明の緩衝装置の背面図、図８は図６（ａ）中のＡ−Ａ線に沿って切断した断面を示す断面図である。図９は本発明の緩衝装置の分解斜視図、図１０は本発明の緩衝装置とこれを取り付けるべく戸板に形成された取付穴とを示した斜視図である。
【００１２】
折戸装置１は、左右一対の戸板１１、１２を蝶番２１、２２、２３により水平方向に互いに回動自在に連結してなる折戸１０と、折戸１０の上方に敷かれたレール３０と、折戸１０をレール３０に吊り下げた状態でレール３０に沿って移動自在に支持しているランナー４１、４２と、レール３０が取り付けられた矩形状の戸枠５０と、折戸１０の閉じ際における戸板１１、１２相互の急激な回動を制動すべく装備された緩衝装置６０とを備えている。蝶番２１、２２、２３は、折戸用の蝶番として広く用いられている公知の蝶番である。蝶番２１、２２、２３は、いわゆるキャッチ機構を備えており、折戸１０を閉じる際に両戸板１１、１２相互間の角度が略１２５度以上になると、そのキャッチ機構が作動して、折戸１０を強制的に全閉状態に誘導する。緩衝装置６０は、図１の例では、図１の例では、三つの蝶番２１、２２、２３のうち最も高い位置に設けられた蝶番２１と折戸１０の上端縁との中間位置に設けられている。
【００１３】
緩衝装置６０は、一対の戸板１１、１２のうち一方の戸板１１の他方の戸板１２との連結端部に取り付けられる第１取付部材６１と、他方の戸板１２の一方の戸板１１との連結端部に取り付けられる第２取付部材６２と、取付部材６１、６２相互の回動を制動するべく第２取付部材６２に設けられた制動機構７０と、を備えている。
【００１４】
第１取付部材６１は、一方の戸板１１に形成された取付穴１１ａに嵌合して完全に埋没するように取付穴１１ａ（図１０参照）の形状及び寸法に合わせてその形状及び寸法が選定された円板状の部材本体６１ａと、部材本体６１ａから上下方向に耳状に張り出したフランジ部６１ｂ、６１ｃとを有する。各フランジ部６１ｂ、６１ｃには、螺子（図示省略）を挿通して折戸１０の背面に締着するための複数の螺子孔６１ｄが形成されている。
【００１５】
第２取付部材６２は、他方の戸板１２に形成された取付穴１２ａに嵌合して完全に埋没するように取付穴１２ａ（図１０参照）の形状及び寸法に合わせてその形状及び寸法が選定されている。第２取付部材６２には、螺子（図示省略）を挿通して折戸１０の背面に締着するための複数の螺子孔６２ｄを有している。
【００１６】
第1取付部材６１は、部材本体６１ａを戸板１１の取付穴１１ａに嵌合させた状態でフランジ部６１ｂ、６１ｃの各螺子孔６１ｄに螺子（図示省略）を通して締め付けることにより、戸板１１に固定されている。第２取付部材６２は、これを戸板１２の取付穴１２ａに嵌合させた状態で螺子孔６２ｄに螺子を通して締め付けることにより、戸板１２に固定されている。
【００１７】
取付穴１１ａ、１２ａは、各戸板１１、１２の互いの連結端部の背面及び木口面に開口部を設けて互いに左右対称になるように形成されている。取付穴１１ａ、１２ａは、蝶番２１、２２、２３用の取付穴（図示省略）と同一形状且つ同一寸法の取付穴であり、これらは蝶番２１、２２、２３用の取付穴（図示省略）を各戸板１１、１２に形成する穴加工処理の際に同じ切削工具を使用して形成されたものである。
【００１８】
制動機構７０は、水平方向に圧縮され反発するダンパ７１と、ダンパ７１に装着された当接部材７３とを備えている。
【００１９】
ダンパ７１は、円柱形状のダンパ本体７１ａと、ダンパ本体７１ａの端部から突出し水平方向に進退移動するダンパピン（出力軸）７１ｂとを備えている（図８参照）。ダンパ７１の本体７１ａ内には、ダンパ７１に対しこれを圧縮する向き、すなわちダンパピン７１ｂを本体７１ａ側に押し込む向きに作用する力に抗して反発力を発生する図示しないコイルばね（弾性体）と、ダンパピン７１ｂの急激な動きを緩衝する図示しないオイルダンパ（緩衝体）とが内蔵されている。
【００２０】
第1取付部材６１の部材本体６１ａには、制動機構７０を取付穴１１ａ内にほぼ完全に埋没させた状態で収容する収容部（保持部）７２が形成されている。収容部７２は、水平方向に延びる円筒状の側壁に囲まれた収容空間を有し、当接部材７３を水平方向に進退移動可能に案内しつつダンパ７１を保持している。収容部７２の第２取付部材６２と重なり合う側の側壁はドーム状に突出している。収容部７２の両端部７２ａ、７２ｂは開口しており、第２取付部材６２に臨む端側の開口端部７２ａから収容空間内に制動機構７０が挿入されている。
【００２１】
収容部７２のもう一方の開口端部７２ｂはダンパ保持位置調節用キャップ７２ｅにより閉塞されている。収容部７２のキャップ７２ｅが装着される部分の内壁には、雌ねじ部が形成されている。一方、キャップ７２ｅの胴部外周部には雄ねじ部が形成されており、この雄ねじ部を収容部７２の雌ねじ部に螺合させることにより、収容部７２の開口端部７２ｂにキャップ７２ｅが装着されている。キャップ７２ｅの外側端にはこれを閉塞する円板状の端板部７２ｇが形成されている。端板部７２ｇの外周縁部はキャップ７２ｅの胴部よりも若干外方に張り出しており、その部分に滑り止め用の凹凸を設けることにより摘み部７２ｈが形成されている。この摘み部７２ｈを指で摘んでキャップ７２ｅを回転させて、収容部７２に対するキャップ７２ｅのねじ込み量を調節することにより、制動機構７０の水平方向における保持位置を微調節できるようになっている。すなわち、収容部７２の内壁に形成された雌ねじ部とこれに螺合しているキャップ７２ｅとによりダンパ保持位置調節機構が構成され、キャップ７２ｅのねじ込み量をより大きくすることにより、制動機構７０の保持位置を第２取付部材６２により近い位置に変位させることができ、反対に、キャップ７２ｅのねじ込み量を小さくすれば、制動機構７０の保持位置を第２取付部材６２からより遠い位置に変位させることができるようになっている。
【００２２】
第２取付部材６２には、両取付部材６１、６２相互を折戸１０を開く側に回動させて折り畳んだときに収容部７２と当接部材７３を受け入れる凹部６２ｂが形成されている。
【００２３】
当接部材７３は、ダンパ本体７１ａにダンパピン７１ｂとは反対側から被せて取り付けられた、先端部が閉塞されたキャップ状の部材である。ダンパ本体７１ａは、当接部材７３内に完全に収容されている。当接部材７３は、収容部７２内に水平方向にスライド可能に挿入され、ダンパ本体７１ａを収容した状態でこれと一体となって移動する。当接部材７３の基端部すなわちダンパピン７１ｂがある側の端部は、ダンパ保持位置調節機構を構成しているキャップ７２ｅの内部に摺動可能に挿入されている。ダンパピン７１ｂは当接部材７３の基端から突出しており、その突端がキャップ７２ｅの端板部７２ｇ内面に当節している。
【００２４】
当接部材７３は、一方の戸板１１の木口面から突出し、折戸１０が閉じられる際の所定のタイミングで第２取付部材６２の第１取付部材６１側の側縁部６２ａに当接するように、その先端部７３ａの形状及び寸法が選定されている。そして、当接部材７３が折戸１０の閉じ際における両取付部材６１、６２相互の回動に伴って第２取付部材６２に押圧されてダンパ本体７１ａとともにキャップ７２ｅ側に移動することにより、当接部材７３とキャップ７２ｅとの間でダンパ７１が圧縮されるようになっている。折戸１０が完全に閉じられたとき、ダンパ７１は最も圧縮された状態になる。このときダンパピン７１ｂは、当接部材７３内にその大部分が埋没した状態になる。
【００２５】
当接部材７３の背面側の先端近傍には一対のガイド突起７３ｃが上下に張り出して形成されている。一方、部材本体６１ａには、ガイド突起７３ｃを受け入れて水平方向にスライド可能に案内するガイド溝６１ｃが形成されている。ガイド突起７３ｃがガイド溝６１ｃに案内されることにより、当接部材７３の第２取付部材６２に対する回動及びがたつきが防止される。
【００２６】
また、当接部材７３の前面部には小突起７３ｅが形成されている。一方、収容部７２には水平方向（当接部材７３の摺動方向）に延びる長孔７３ｉが、収容部７２の壁を貫通させて形成されている。当接部材７３の小突起７３ｅは、収容部７２の長孔７３ｉ内に位置しており、長孔７３ｉを通して収容部７２の外部から視認可能である。すなわち、この突起７３ｅの位置によって制動機構７０の保持位置を概ね確認できるようになっている。また、突起７３ｅが長孔７３ｉの先端側端部に当接することにより、当接部材７３の抜けを防止している。
【００２７】
図１１は折戸装置１の開閉時における一連の状態を示す部分斜視図、図１２は同じく部分平面図である。図１１および図１２において、（ａ）は折戸１０が全開の状態であり、この状態から折戸１０を閉める際、（ｂ）および（ｃ）の状態を経て、（ｄ）の状態すなわち折戸１０の折曲角度が略１２５度になった時点で、蝶番２１、２２、２３のキャッチ機構が作動し、その働きにより折戸１０が強制的に（ｅ）の状態すなわち全閉状態まで誘導される。その際、蝶番２１、２２、２３のキャッチ機構の作動開始後から折戸１０が全閉状態になるまでの間の所定のタイミングで、制動機構７０による制動力が効き始める。これにより、折戸１０は閉め際における両戸板１１、１２相互の急激な回動が制動されつつ、全閉状態まで静かに誘導される。
【００２８】
上記のように構成された緩衝装置６０は、折戸１０の閉じ際における制動力の働く時間及びタイミングを、使用するダンパ７１を長寸化することなく適切に設定できる。すなわちこの緩衝装置６０は、水平方向に圧縮され反発するダンパ７１を第１取付部材６１側に装備し、ダンパ７１に装着された当接部材７３が折戸１０の閉じ際における両取付部材６１、６２相互の回動に伴って第２取付部材６２の側縁部６２ａに押圧されてダンパ本体７１ａとともに移動することによりダンパ７１が圧縮され、その反発力によって折戸１０の閉じ際における急激な回動を制動するように構成されているため、当接部材７３の形状・寸法、当接部材７３と第２取付部材６２の側縁部６２ａとの互いの位置関係、ダンパ７１の水平方向における保持位置などを適宜選定することにより、ダンパ７１には何らの変更も加えることなく、制動力の働く時間及びタイミングを適切に設定することができる。
【００２９】
また、収容部７２へのキャップ７２ｅのねじ込み量を調節することによりダンパ７１の水平方向における保持位置を微調節できるので、緩衝装置６０を折戸１０に取り付けた後においても、制動力の働く時間及びタイミングを微調節することができる。
【００３０】
また、第１取付部材６１及び第２取付部材６２を、蝶番２１、２２、２３用の取付穴（図示省略）と同じ切削工具を使用して形成された取付穴１１ａ、１２ａに取り付けることができるので、緩衝装置６０を取り付けるための穴加工の手間を削減できる。これに対し従来の技術では、緩衝装置を取り付けるために蝶番用の取付穴（図示省略）とは別の切削工具を使用して穴加工を施さなければならなかったため、穴加工に手間がかかり、緩衝装置の取付けに要するコストが増大するという不都合があった。
【００３１】
また、緩衝装置６０が折り畳むときに第１取付部材６１の収容部７２と当接部材７３とを受け入れる凹部６２ｂが第２取付部材６２に形成されていることにより、両取付部材６１、６２を完全に重なり合わせた状態に緩衝装置６０を折りたたむことができ、そして、第２取付部材６２が取付穴１２ａ内に完全に埋没した状態で設けられているので、折戸１０を全開状態に折り畳んだときに両戸板１１、１２間にできる隙間を極力無くすことができる。
【図面の簡単な説明】
【００３２】
【図１】本発明の緩衝装置を備えた折戸装置の背面図
【図２】図１中の緩衝装置（両取付部材が完全に開いた状態）の正面図
【図３】図１中の緩衝装置（両取付部材が互いに直角に回動した状態）の全体斜視図
【図４】図１中の緩衝装置（制動力が働き始める臨界状態）の全体斜視図
【図５】図１中の緩衝装置（両取付部材が完全に開いた状態）の全体斜視図
【図６】（ａ）〜（ｅ）はそれぞれ本発明の緩衝装置の正面図、左側面図、右側面図、平面図、下面図
【図７】本発明の緩衝装置の背面図
【図８】図５（ａ）中のＡ−Ａ線に沿って切断した断面を示す断面図
【図９】本発明の緩衝装置の分解斜視図
【図１０】本発明の緩衝装置とこれを取り付けるべく戸板に形成された取付穴とを示した斜視図
【図１１】図１に示す折戸装置の開閉時における一連の状態を示す部分斜視図
【図１２】図１に示す折戸装置の開閉時における一連の状態を示す部分平面図
【符号の説明】
【００３３】
１  折戸装置
１０  折戸
１１  戸板
１１ａ  取付穴
１２  戸板
１２ａ  取付穴
２１、２２、２３  蝶番
５０  戸枠
６０  緩衝装置
６１  第１取付部材（一方の取付部材）
６２  第２取付部材（他方の取付部材）
６２ｂ  凹部
７０  制動機構
７１  ダンパ
７１ａ  ダンパ本体
７１ｂ  ダンパピン（出力軸）
７２  収容部（保持部）
７２ｅ  キャップ
７２ｈ  摘み部
７３  当接部材
【図１】
0005411420.tif 000002
【図２】
0005411420.tif 000003
【図３】
0005411420.tif 000004
【図４】
0005411420.tif 000005
【図５】
0005411420.tif 000006
【図６】
0005411420.tif 000007
【図７】
0005411420.tif 000008
【図８】
0005411420.tif 000009
【図９】
0005411420.tif 000010
【図１０】
0005411420.tif 000011
【図１１】
0005411420.tif 000012
【図１２】
0005411420.tif 000013